Podtech/llm-jp-corpus-v4-ja_patent huggingface dataset:
【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
糖尿病患者におけるネフロパシーの処置および／もしくは予防のため、または
非糖尿病患者におけるネフロパシーの処置および／もしくは予防のため、または
インスリン耐性もしくは後期糖化反応生成物を伴う代謝疾患の処置および／もしくは予防のため、または
アテローム性動脈硬化症もしくは内皮機能障害の処置および／もしくは予防のための、医薬の製造における、式（Ｉ）
【化１】
2005533815.tif 000001
［式中、
Ａ＝Ｈ、Ｃ1−Ｃ8−アルキル、ＣＨ2ＯＣＨ2ＣＨ2ＯＣＨ3、−(Ｃ1−Ｃ4−アルキル)−アリール；
Ｒ1は、水素、−ＣＨ2ＯＣ(Ｏ)Ｃ(ＣＨ3)3、またはアシル基であり；
Ｒ2は、水素；−ＣＨ2Ｏ−Ｃ(Ｏ)Ｃ(ＣＨ3)3；Ｃ1−Ｃ4−アルキル；アリール、−(Ｃ1−Ｃ4−アルキル)−アリール；またはジフェニルメチルであり；
Ｘは、−(ＣＨ2)n［ここで、ｎは０または１の整数である］、−Ｓ−、−Ｏ−、
【化２】
2005533815.tif 000002
［ここで、Ｒ3は、水素、Ｃ1−Ｃ4−アルキル、アリールまたはアリール−(Ｃ1−Ｃ4−アルキル)であり、そしてＲ4は、−ＣＦ3、Ｃ1−Ｃ10アルキル、アリール、またはアリール−(Ｃ1−Ｃ4−アルキル)である］であり；
Ｂ1およびＢ2は、それぞれ独立して水素、ヒドロキシ、−ＯＲ5［ここでＲ5はＣ1−Ｃ4−アルキル、アリールまたは−(Ｃ1−Ｃ4−アルキル)−アリールである］であるか、またはＢ1およびＢ2が隣接する炭素原子に結合している場合、Ｂ1およびＢ2は、該隣接する炭素原子と共に、ベンゼン環もしくはメチレンジオキシを形成し得る］
の化合物の使用。
【請求項２】
式（Ｉ）の化合物が、式（ＩＩ）
【化３】
2005533815.tif 000003
の化合物であることを特徴とし、そしてＲ1がアセチルである、請求項１に記載の使用。
【請求項３】
Ｒ1が水素である、請求項２に記載の使用。
【請求項４】
Ｂ1および／またはＢ2が水素である、請求項２に記載の使用。
【請求項５】
Ｘが−ＣＨ2である、請求項２に記載の使用。
【請求項６】
式（Ｉ）の化合物が、式（ＩＩ−Ａ）：
【化４】
2005533815.tif 000004
［式中、Ｒ1はアセチルまたは水素である］の化合物であることを特徴とする、請求項１
に記載の使用。
【請求項７】
式（Ｉ）の化合物が、式（ＩＩ−Ｂ）
【化５】
2005533815.tif 000005
の化合物であることを特徴とする、請求項１に記載の使用。
【請求項８】
式（Ｉ）の化合物が、式（ＩＩ−Ｃ）
【化６】
2005533815.tif 000006
の化合物であることを特徴とする、請求項１に記載の使用。
【請求項９】
式（Ｉ）の化合物が、式（ＩＩＩ）
【化７】
2005533815.tif 000007
の化合物であることを特徴とし、そしてＲ1がアセチルである、請求項１に記載の使用。
【請求項１０】
Ｒ1が水素である、請求項９に記載の使用。
【請求項１１】
Ｂ1および／またはＢ2が水素である、請求項９に記載の使用。
【請求項１２】
Ｘが−ＣＨ2である、請求項９に記載の使用。
【請求項１３】
式（Ｉ）の化合物が、式（ＩＩＩ−Ａ）：
【化８】
2005533815.tif 000008
［式中、Ｒ1はアセチルまたは水素である］の化合物であることを特徴とする、請求項１
に記載の使用。
【請求項１４】
式（Ｉ）の化合物が、式（ＩＩＩ−Ｂ）
【化９】
2005533815.tif 000009
の化合物であることを特徴とする、請求項１に記載の使用。
【請求項１５】
式（Ｉ）の化合物が、式（ＩＩＩ−Ｃ）
【化１０】
2005533815.tif 000010
の化合物であることを特徴とする、請求項１に記載の使用。
【手続補正書】
【提出日】平成18年1月31日(2006.1.31)
【手続補正１】
【補正対象書類名】特許請求の範囲
【補正対象項目名】請求項１
【補正方法】変更
【補正の内容】
【請求項１】
耐火性に内張りされた蒸気ボイラー（９）を有するクラウス設備用の核融合炉にあって、この核融合炉は、高温ガス，空気及びＨ2 Ｓを含む酸素ガスから成る混合物用の流入開口部（１２）を有する燃焼室（２），触媒層（３）を有する触媒室（１０）及び単体硫黄を含む高温のプロセスガス用のガス流出口（１３）を有する流出側室（１１）を備える核融合炉において、蒸気ボイラー（９）が横たわっているシリンダ状の蒸気ボイラーとして構成されていて、燃焼室（２），触媒室（１０）及び流出側室（１１）がこの蒸気ボイラー内に相前後して配置されていること、及び、触媒室（１４）の両側が流れ方向に沿ってガスを通す触媒ベッド（１４）によって仕切られていて、この触媒室は触媒層（３）を収納するためのスリーブ状の充填開口部（１５）を有することを特徴とする核融合炉。
【手続補正２】
【補正対象書類名】特許請求の範囲
【補正対象項目名】請求項４
【補正方法】変更
【補正の内容】
【請求項４】
耐火性に内張りされた分岐管（１６）が、流出側室（１１）の周囲に連結されていて、この分岐管は、蒸気ボイラー（９）に隣接しかつより低温のプロセスガスを通すプロセスガス管（１７）に合流すること、バルブゲート（１８）が、分岐管（１６）の合流領域内に調整可能に配置されていて、分岐管（１６）から流出する高温のガス流の流量が、このバルブゲートによって制御可能であること、及び、より低温のプロセスガスが、このプロセスガス管（１７）に流れていて、このより低温のプロセスガスは、バルブゲート（１８）及びこのバルブゲートに割り当てられた安定装置（１９）を冷却することを特徴とする請求項１又は２に記載の核融合炉。
【手続補正書】
【提出日】平成18年5月17日(2006.5.17)
【手続補正１】
【補正対象書類名】特許請求の範囲
【補正対象項目名】全文
【補正方法】変更
【補正の内容】
【特許請求の範囲】
【請求項１】
テトラサイクリン化合物を含む、哺乳類の喘息以外のアレルギー反応を治療するための医薬組成物。
【請求項２】
前記哺乳類がヒトである、請求項１に記載の医薬組成物。
【請求項３】
前記治療が前記テトラサイクリン化合物を全身投与することを含む、請求項１に記載の医薬組成物。
【請求項４】
前記テトラサイクリン化合物が、抗生作用を有する量の10〜80％の量で投与される抗生物質テトラサイクリン化合物である、請求項１に記載の医薬組成物。
【請求項５】
前記抗生物質テトラサイクリン化合物が、ドキシサイクリン、ミノサイクリン、テトラサイクリン、オキシテトラサイクリン、クロロテトラサイクリン、デメクロサイクリン、ライムサイクリン又はそれらの製薬的に許容性の塩である、請求項４に記載の医薬組成物。
【請求項６】
前記抗生物質テトラサイクリン化合物がドキシサイクリンであり、ドキシサイクリンが20mgの用量で１日２回投与される、請求項５に記載の医薬組成物。
【請求項７】
前記抗生物質テトラサイクリン化合物がドキシサイクリンであり、ドキシサイクリンが24時間にわたって徐放投与される、請求項５に記載の医薬組成物。
【請求項８】
前記抗生物質テトラサイクリン化合物がドキシサイクリンであり、ドキシサイクリンが１日１回40mgの量で投与される、請求項５に記載の医薬組成物。
【請求項９】
前記テトラサイクリン化合物が約0.1〜約0.8μg/mlの範囲の血清濃度を与える量で投与される、請求項１に記載の医薬組成物。
【請求項１０】
前記テトラサイクリン化合物が実質的に抗生作用をもたない、請求項１に記載の医薬組成物。
【請求項１１】
前記非抗生物質テトラサイクリン化合物が、
4-デ(ジメチルアミノ)テトラサイクリン（ＣＭＴ-１）、
テトラサイクリノニトリル（ＣＭＴ-２）、
6-デメチル-6-デオキシ-4-デ(ジメチルアミノ)テトラサイクリン（ＣＭＴ-３）、
4-デ(ジメチルアミノ)-7-クロロテトラサイクリン（ＣＭＴ-４）、
テトラサイクリンピラゾール（ＣＭＴ-５）、
4-ヒドロキシ-4-デ(ジメチルアミノ)テトラサイクリン（ＣＭＴ-６）、
4-デ(ジメチルアミノ)-12α-デオキシテトラサイクリン（ＣＭＴ-７）、
6-α-デオキシ-5-ヒドロキシ-4-デ(ジメチルアミノ)テトラサイクリン（ＣＭＴ-８）、
4-デ(ジメチルアミノ)-12α-デオキシアンヒドロテトラサイクリン（ＣＭＴ-９）、又は
4-デ(ジメチルアミノ)ミノサイクリン（ＣＭＴ-10）である、
請求項１０に記載の医薬組成物。
【請求項１２】
前記テトラサイクリン化合物が、以下の構造： 
【化１】
2005533766.tif 000001
（式中、各場合にまとめてＲ７、Ｒ８、及びＲ９は、以下の意味を有する。
Ｒ７                  Ｒ８            Ｒ９
水素                  水素            アミノ
水素                  水素            パルミトアミド
水素                  水素            ジメチルアミノ）；
及び
【化２】
2005533766.tif 000002
（式中、各場合にまとめてＲ７、Ｒ８、及びＲ９は、以下の意味を有する。
Ｒ７                  Ｒ８            Ｒ９
水素                  水素            アセトアミド
水素                  水素            ジメチルアミノアセトアミド
水素                  水素            ニトロ
水素                  水素            アミノ
水素                  水素            パルミトアミド）；
及び
【化３】
2005533766.tif 000003
（式中、まとめてＲ８、及びＲ９は、それぞれ水素及びニトロである。）
から成る群より選択される、請求項１０に記載の医薬組成物。
【請求項１３】
前記治療が前記テトラサイクリン化合物を局所投与することを含む、請求項１に記載の医薬組成物。
【請求項１４】
テトラサイクリン化合物を含み、ビスホスホナート化合物を含まない、哺乳類の喘息を治療するための医薬組成物。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
薬学的組成物であって、以下：
（ｉ）少なくとも１種のガストリン／コレシステキニン（ＣＣＫ）レセプターリガンドおよびＥＧＦレセプターリガンドを含有する、島新生療法のための組成物；ならびに
（ｉｉ）免疫応答の抑制のための薬剤
を含有する、薬学的組成物。
【請求項２】
請求項１に記載の薬学的組成物であって、前記薬剤は、ラパマイシン；コルチコステロイド；アザチオプリン；マイコフェノレート  モヘチル；シクロスポリン；シクロホスファミド；メトトレキセート；６−メルカプトプリン；ＦＫ５０６（Ｔａｃｒｏｌｉｍｕｓ）；１５−デオキシスペルグアリン；ＦＴＹ  ７２０；ミトキサントロン；２−アミノ−１，３−プロパンジオール；２−アミノ−２［２−（４−オクチルフェニル）エチル］プロパン−１，３−ジオールヒドロクロリド；６−（３−ジメチル−アミノプロピオニル）フォルスコリン；およびデメチムノマイシンからなる群より選択される、少なくとも１種の薬剤である、薬学的組成物。
【請求項３】
請求項１に記載の薬学的組成物であって、前記薬剤は、ｈｕｌ  １２４；ＢＴＩ−３２２；アロトラップ−ＨＬＡ−Ｂ２７０；ＯＫＴ４Ａ；エンリモマブ；ＡＢＸ−ＣＢＬ；ＯＫＴ３；ＡＴＧＡＭ；バシリキシマブ；ダクリズマブ；抗胸腺細胞免疫グロブリン；ＩＳＡｔｘ２４７；Ｍｅｄｉ−５００；Ｍｅｄｉ−５０７；アレファセプト；エファリズマブ；インフリキシマブ；およびインターフェロンからなる群より選択される、少なくとも１種の薬剤である、薬学的組成物。
【請求項４】
請求項１に記載の薬学的組成物であって、前記薬剤は、Ｓｉｒｏｌｉｍｕｓ、Ｔａｃｒｏｌｉｍｕｓ、Ｅｖｅｒｏｌｉｍｕｓ、ＩＳＡｔｘ２４７、およびダクリズマブの、少なくとも１種を含有する、薬学的組成物。
【請求項５】
請求項１〜４のいずれか１項に記載の薬学的組成物であって、前記組成物は、ガストリン／コレシステキニン（ＣＣＫ）レセプターリガンドを含有する、薬学的組成物。
【請求項６】
請求項５に記載の薬学的組成物であって、前記ガストリン／コレシステキニン（ＣＣＫ）レセプターリガンドは、ガストリンである、薬学的組成物。
【請求項７】
請求項１〜６のいずれか１項に記載の薬学的組成物であって、前記組成物は、ＥＧＦレセプターリガンドを含有する、薬学的組成物。
【請求項８】
請求７に記載の薬学的組成物であって、前記ＥＧＦレセプターリガンドは、ＥＧＦである、薬学的組成物。
【請求項９】
薬学的組成物であって、以下：
（ｉ）少なくとも１種のガストリンおよびＥＧＦを含有する、島新生療法のための組成物；ならびに
（ｉｉ）Ｔａｃｒｏｌｉｍｕｓおよび／またはＳｉｒｏｌｉｍｕｓを含有する、免疫応答の抑制のための薬剤
を含有する、薬学的組成物。
【請求項１０】
前記薬剤はＳｉｒｏｌｉｍｕｓを含有する、請求項９に記載の薬学的組成物。
【請求項１１】
前記薬剤はＳｉｒｏｌｉｍｕｓおよびをＴａｃｒｏｌｉｍｕｓ含有する、請求項９に記載の薬学的組成物。
【請求項１２】
ガストリンおよびＥＧＦを含有する、請求項９、１０または１１に記載の薬学的組成物。
【請求項１３】
ガストリンを含有する、請求項９、１０または１１に記載の薬学的組成物。
【請求項１４】
ＥＧＦを含有する、請求項９、１０または１１に記載の薬学的組成物。
【請求項１５】
前記ガストリンはガストリン１７である、請求項６、７、８、９、１２または１３に記載の薬学的組成物。
【請求項１６】
前記ガストリン１７は、ガストリン１７Ｍｅｔ１５またはガストリン１７Ｌｅｕ１５である、請求項１５に記載の薬学的組成物。
【請求項１７】
前記組成物は組換え型ＥＧＦを含有する、請求項８、９、１２または１４に記載の薬学的組成物。
【請求項１８】
前記ＥＧＦは、組換え型ヒトＥＧＦである、請求項１７に記載の薬学的組成物。
【請求項１９】
前記ＥＧＦは、組換え型ヒトＥＧＦ５１Ｎである、請求項１８に記載の薬学的組成物。
【請求項２０】
前記組成物および前記薬剤は、連続投与のために処方される、請求項１〜１９のいずれか１項に記載の薬学的組成物。
【請求項２１】
前記組成物および前記薬剤は、経口投与のために処方される、請求項１〜２０のいずれか１項に記載の薬学的組成物。
【請求項２２】
請求項１〜２１のいずれか１項に記載の薬学的組成物であって、前記組成物および前記薬剤は、静脈内投与、皮下投与、腹膜内投与、および筋肉内投与のために処方される、薬学的組成物。
【請求項２３】
糖尿病の哺乳動物を処置するための、請求項１〜２２のいずれか１項に記載の薬学的組成物。
【請求項２４】
糖尿病が最近発症した糖尿病の哺乳動物を処置するための、請求項２３記載の薬学的組成物。
【請求項２５】
ヒトを処置するための、請求項１〜２４のいずれか１項に記載の薬学的組成物。
【請求項２６】
以下：
（ｉ）請求項１〜２５のいずれか１項に規定される島新生療法のための組成物；
（ｉｉ）請求項１〜２５のいずれか１項に規定される免疫抑制薬剤；および
（ｉｉｉ）容器
を備える、キット。
【請求項２７】
請求項１〜２５のいずれか１項に記載される薬学的組成物、または請求項２６に記載のキットの製造に関する方法。
【請求項２８】
被験体において糖尿病を処置するための方法における使用のための医薬の製造における、請求項１〜２５のいずれか１項に記載される薬学的組成物、または請求項２６に記載のキットの使用。
【請求項２９】
請求項２８に記載の使用であって、前記医薬は、ＥＧＦの非存在下で、ガストリンおよび前記薬剤を投与するように処方され、さらに該使用は、該薬剤または前記組成物の欠投与の期間を含む、使用。
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
１以上の生理的に活性な薬剤；
１以上の真皮透過エンハンサー；
揮発性溶媒を含む薬学的に許容され得るキャリア；および
ＨＦＣ−１３４ａを含む高圧ガス；
を含み、キャリア、高圧ガスおよび透過エンハンサーが１以上の生理的に活性な薬剤の単相溶液を提供するように組み合わされた、経皮送達のための医薬組成物。
【請求項２】
揮発性溶媒が大気圧および温度３２℃において３５ｍｍＨｇより高い蒸気圧を有する請求項１記載の医薬組成物。
【請求項３】
皮膚上にフィルムを形成するための接着剤を実質的に含まない請求項１記載の組成物。
【請求項４】
２分未満、より好ましくは１分未満の乾燥時間を維持する請求項１記載の組成物。＿
【請求項５】
前記高圧ガスがＨＦＣ−１３４ａから本質的になる請求項４記載の組成物。
【請求項６】
高圧ガスが医薬組成物全体の１５体積％〜５０体積％である請求項１記載の医薬組成物。
【請求項７】
高圧ガスが組成物の２０〜４０体積％である請求項６記載の医薬組成物。
【請求項８】
透過エンハンサーが１以上のサンスクリーンエステルを含む請求項１記載の医薬組成物。＿
【請求項９】
１以上のサンスクリーンエステルがＣ８〜Ｃ１８アルキルシンナマート、Ｃ８〜Ｃ１８アルキルメトキシシンナマート、Ｃ８〜Ｃ１８アルキルサリチラートおよびその混合物からなる群より選択される請求項８記載の医薬組成物。
【請求項１０】
透過エンハンサーがオクチルサリチラートまたはパジメート−０である請求項９記載の医薬組成物。＿
【請求項１１】
０．１重量％〜１０重量％の真皮透過エンハンサーを含む請求項８記載の医薬組成物。＿
【請求項１２】
揮発性溶媒がエタノール、イソプロパノールまたはその混合物を含有してなり、透過エンハンサーおよび高圧ガスの単相を提供する請求項１記載の医薬組成物。
【請求項１３】
揮発性溶媒がアセトン、クロロホルム、低級アルコールまたはその混合物を含有してなり、かつ医薬組成物全体の４０体積％〜８０体積％で存在する請求項１記載の医薬組成物。
【請求項１４】
溶媒がアセトン、クロロホルム、低級アルコールまたはその混合物を含有してなり、かつ医薬組成物全体の５０体積％〜７０体積％で存在する請求項１記載の医薬組成物。
【請求項１５】
ステロイド、ホルモン誘導体、非ステロイド性抗炎症薬剤、オピオイド鎮痛薬、抗嘔吐剤、抗エストロゲン、アロマターゼインヒビター、５−αレダクターゼインヒビター、不安緩解剤、プロスタグランジン、抗−ウイルス薬剤、抗−偏頭痛化合物、抗高血圧症薬剤、抗−マラリア化合物、気管支拡張薬、抗鬱薬、抗−アルツハイマー病薬剤、抗コリン作用薬剤、神経弛緩性および抗精神病性薬剤、抗−パーキンソン病薬剤、抗アンドロゲンならびに食欲抑制剤からなる群より選択される１以上の生理的に活性な薬剤を含む請求項１記載の医薬組成物。
【請求項１６】
１以上の生理的に許容され得る薬剤が、テストステロン、エストラジオール、エチニルエストラジオール、レボノルゲストレル、プロゲステロン、酢酸ノルエチステロン、イブプロフェン、ケトプロフェン、フルルビプロフェン、ナプロキセン、ジクロフェナク、フェンタニル、ブプレノルフィン、スコポラミン、プロクロルペラジン、メトクロプラミド、オンダンセトロン、タモキシフェン、エピチオスタノール、エキセメスタン、ダリフェナシン、４−ヒドロキシ-アンドロステンジオンおよびその誘導体、フィナステライド、ドゥタステライド、トゥロステライド、ＬＹ１９１７０４、ＭＫ−３８６、アルプラゾラン、アルプロスタジル、プロスタシクリンおよびその誘導体、メラトニン、ｎ−ドコサノール、トロマンタジン、アシクロビルの脂肪親和性プロドラッグ、低分子量ヘパリン、エノキサパリン、スマトリプタン、アムロジピン、ニトレンジピン、プリマキン、ミノキシジルおよびそのプロドラッグ、ピロカルピン、サルブタモール、テルブタリン、サルメテロール、イボガイン、ブプロピアン、ロリプラン、タクリン、ＭＥＮＴ(７−メチル−１９−テストステロン)、またはマジンドールあるいは前記いずれかの薬学的に許容され得る塩もしくは誘導体からなる群より選択され、より好ましくは、生理的な薬剤としてアポモルヒネ、オキシブチニン、フェンタニル、ロピニロール、グラニセトロン、リバスチグミン、ブスピロン、リザトリプタン、ゾルミトリプタン、ラシジピン、トロピセトロン、オランザピンおよびメチルフェニデートまたは前記いずれかの薬学的に許容され得る塩もしくは誘導体を含む請求項１５記載の医薬組成物。
【請求項１７】
組成物をチャンバーから送達するためのバルブ、組成物をエアゾールとして分散するためのノズルおよび計量された投与量のエアゾールをノズルから提供する手段を含むスプレー塗布デバイスのチャンバー内に含まれ、高圧ガスを液体状態で保つようにチャンバー内で圧力をかけた状態で保持されている請求項１記載の医薬組成物。
【請求項１８】
生理的に活性な薬剤、真皮透過エンハンサー、揮発性溶媒を含有してなる薬学的に許容され得るキャリアおよびＨＦＣ−１３４ａ高圧ガスを含む単相溶液の形態である組成物の皮膚への塗布よる経皮送達のためのエアゾール組成物の製造における、生理的に活性な薬剤の使用。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
２−［α−（２−エトキシ−フェノキシ）−ベンジル］−モルホリンの２Ｓ，３Ｓエナンチオマーのフマル酸塩またはコハク酸塩。
【請求項２】
フマル酸塩である、請求項１に記載の塩。
【請求項３】
コハク酸塩である、請求項１に記載の塩。
【請求項４】
活性成分として請求項１に記載の塩、および製薬上許容される賦形剤および／または担体を含む医薬組成物。
【請求項５】
医薬として使用するための、請求項１に記載の塩。
【請求項６】
選択的ノルエピネフリン再摂取阻害剤として使用するための、請求項１に記載の塩。
【請求項７】
選択的ノルエピネフリン再摂取の阻害により処置しうる疾患状態を患っているヒトを含む哺乳類の処置に使用するための医薬組成物の製造における、請求項１に記載の塩の使用。
【請求項８】
２−［α−（２−エトキシ−フェノキシ）−ベンジル］−モルホリンを（Ｓ）（＋）マンデル酸と反応させて２Ｓ，３Ｓ  ２−［α−（２−エトキシ−フェノキシ）−ベンジル］−モルホリンマンデル酸塩を得；２Ｓ，３Ｓ  ２−［α−（２−エトキシ−フェノキシ）−ベンジル］−モルホリンマンデル酸塩を好適な塩基剤と反応させて相当する遊離塩基を得；そして２Ｓ，３Ｓ  ２−［α−（２−エトキシ−フェノキシ）−ベンジル］−モルホリンをそれぞれフマル酸またはコハク酸と反応させ、次いで制御した結晶化工程を行うことを含む、２−［α−（２−エトキシ−フェノキシ）−ベンジル］−モルホリンの２Ｓ，３Ｓエナンチオマーのフマル酸塩またはコハク酸塩の製造方法。
【手続補正書】
【提出日】平成18年1月19日(2006.1.19)
【手続補正１】
【補正対象書類名】明細書
【補正対象項目名】００６６
【補正方法】変更
【補正の内容】
【００６６】
虚血／再灌流によって引き起こされる心筋障害に対する前述の化合物の保護作用は、3mg/kgの体重で静脈内に注射されるラットにおいて観察された。心筋の発作によって誘導される不整脈の強度を使用して化合物の潜在的な保護作用を評価した。
【表５】
2005533798.tif 000001
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
２以上のステーションで載荷ユニット（４）を形成するための方法であって、
第１のステーション（８）で１つ以上のパッケージ（１）が収集かつ配置されて、載荷ユニット（４）を形成され、
第２のステーション（９）で第１のステーション（８）で形成された載荷ユニット（４）に、少なくとも２つの載荷レッジ（２）が取り付けられ、
使用される載荷レッジ（２）の数とその配置が、載荷ユニット（４）を形成するパッケージ（１）のサイズと形状にもとづいて決められることを特徴とする方法。
【請求項２】
第３のステーション（１０）で、１つ以上のストラップ（７）および／またはストレッチ包装が、載荷レッジ（２）を含む載荷ユニット（４）の周りに１巻き以上巻かれる、
ことを特徴とする請求項１に記載の方法。
【請求項３】
完成された載荷ユニット（４）が、コンテナ、大型トラック、トラックまたは他の運搬手段に送られることを特徴とする、請求項１または２に記載の方法。
【請求項４】
載荷ユニット（４）の寸法が、載荷ユニット（４）を運搬するコンテナ、トラック、大型トラック等の寸法に、適合されることを特徴とする、請求項１〜３のいずれか１項に記載の方法。
【請求項５】
前記１から４の方法に使用されるシステムであって、載荷ユニット（４）が形成される２つ以上のステーション（８〜１０）を具備するものにおいて、
１つのステーション（８）が、多数のパッケージ（１）を収集し、かつ、これらのパッケージ（１）を配置して、所望の載荷ユニット（４）を形成する手段を有し、
１つのステーション（９）が、載荷ユニット（４）の対偶配置された少なくとも２つの下縁に、２つ以上の載荷レッジ（２）を取り付けるための手段を有する、
ことを特徴とするシステム。
【請求項６】
一つのステーション（９）が、載荷ユニット（４）に載荷レッジ（２）を取り付けるための機械（５）を備えることを特徴とする、請求項５に記載のシステム。
【請求項７】
１つのステーション（１０）が、載荷レッジ（２）を含む載荷ユニット（４）の外側の周りに巻かれる１つ以上のストラップ（７）および／またはストレッチ包装を各載荷ユニット（４）に備えるための手段を有することを特徴とする、請求項５または６に記載のシステム。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
キセノン又はキセノン含有ガス混合物を含有する鎮痙剤。
【請求項２】
キセノンが薬理学的に有効な量で含まれている、請求項１記載の鎮痙剤。
【請求項３】
鎮痙剤がＮＯ又はＮＯ源を治療学的に有効な量で含有する、請求項１又は２記載の鎮痙剤。
【請求項４】
キセノン又はキセノン含有ガス及び、経口又は静脈内に投与される鎮痙剤を含有する、痙攣の治療に際して同時に、別々に又は時間的に区別して使用するための組み合わせ製剤としての鎮痙剤。
【請求項５】
鎮痙剤を血管痙攣の治療のために使用する、請求項４記載の鎮痙剤。
【請求項６】
キセノン及びＮＯ源を含有するか、又はキセノン含有ガス及びＮＯ源を含有する薬剤。
【請求項７】
痙攣の治療用の薬剤の製造のため、血管痙攣の治療用の薬剤の製造のため、脳血管痙攣の治療用の薬剤の製造のため、血行障害の治療用の薬剤の製造のため、特に脳内の血行障害の治療用のガス状の薬剤の製造のため、脳血流欠損の治療用の薬剤の製造のため、冠状動脈血流欠損の治療用の薬剤の製造のため、認知障害の治療のための薬剤の製造のため、卒中発作の治療用の薬剤の製造のため、卒中発作の予防用の薬剤の製造のため、脳内の酸素供給の改善用の薬剤の製造のため、虚血後症候群の治療用の薬剤の製造のため又は脳内の血行促進用の薬剤の製造のため、生体の酸素化の改善用の薬剤の製造のため、脳内の酸素化の改善用の薬剤の製造のための、キセノン又はキセノン含有ガス混合物及び場合によりＮＯ源の使用。
【請求項８】
人体の毛細血流域又は前毛細血流域での血管拡張作用を有する薬剤の製造のための、キセノン又はキセノン含有ガス混合物の使用。
【請求項９】
認知機能障害、また術後の認知機能障害の予防用及び／又は治療用の薬剤の製造のための、キセノン又はキセノン含有ガス混合物及び場合によりＮＯ源の使用。
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
個体において抗原に対する免疫応答を増強するための薬剤であって、イミダゾキノリンアミン、イミダゾピリジンアミン、6,7-融合シクロアルキルイミダゾピリジンアミン、1,2-架橋イミダゾキノリンアミン、チアゾロ-およびオキサゾロ-キノリンアミンまたはピリジンアミン、イミダゾナフチリジンまたはテトラヒドロイミダゾナフチリジンアミンである化合物を含み、該化合物は、核酸ワクチンを投与した12〜36時間後に個体に局所的または経皮的に投与され、該核酸ワクチンは、異種プロモーターに機能的に結合された、HIV-1 gagタンパク質またはそのgagエピトープを含有する断片と第2のHIV抗原または該第2のHIV抗原のエピトープをコードする断片とをコードするヌクレオチド配列を含む、薬剤。
【請求項２】
個体においてHIV感染もしくはAIDSを予防または治療するための薬剤であって、異種プロモーターに機能的に結合された、HIV-1 gagタンパク質またはそのgagエピトープを含有する断片と第2のHIV抗原または該第2のHIV抗原のエピトープをコードする断片とをコードするヌクレオチド配列を含み、個体にヌクレオチド配列を投与した12〜36時間後に、イミダゾキノリンアミン、イミダゾピリジンアミン、6,7-融合シクロアルキルイミダゾピリジンアミン、1,2-架橋イミダゾキノリンアミン、チアゾロ-およびオキサゾロ-キノリンアミンまたはピリジンアミン、イミダゾナフチリジンまたはテトラヒドロイミダゾナフチリジンアミンである化合物が個体に局所的または経皮的に投与される、薬剤。
【請求項３】
化合物がイミダゾキノリンである請求項1または2記載の薬剤。
【請求項４】
化合物がイミキモドまたはレシキモドである請求項1または2記載の薬剤。
【請求項５】
ヌクレオチド配列が局所的または経皮的に投与される、請求項1〜4のいずれか一項記載の薬剤。
【請求項６】
ヌクレオチド配列および/または化合物が粒子の形態で投与される、請求項1〜5のいずれか一項記載の薬剤。
【請求項７】
ヌクレオチド配列または化合物がコアキャリアにコーティングされている、請求項6記載の薬剤。
【請求項８】
ヌクレオチド配列または化合物が無針シリンジを使用して投与される、請求項6または7記載の薬剤。
【請求項９】
化合物がクリームの形態で投与される、請求項1〜8のいずれか一項記載の薬剤。
【請求項１０】
ヌクレオチド配列の投与を反復して初回抗原投与および追加免疫投与を提供する、請求項1〜9のいずれか一項記載の薬剤。
【請求項１１】
gagタンパク質がp17を含み、および/または第2の抗原が、Nef、RT、またはNefもしくはRTのエピトープを含有する断片からなる群より選択される、請求項1〜10のいずれか一項記載の薬剤。
【請求項１２】
gagタンパク質がp24をさらに含む、請求項11記載の薬剤。
【請求項１３】
RT配列またはその断片が、高度に発現されているヒト遺伝子に類似するように最適化されているコドンである、請求項11または12記載の薬剤。
【請求項１４】
gag配列が、高度に発現されているヒト遺伝子におけるコドン使用頻度に類似するように最適化されているコドンである、請求項1〜13のいずれか一項記載の薬剤。
【請求項１５】
ヌクレオチド配列がNefタンパク質またはそのエピトープをコードする、請求項1〜14のいずれか一項記載の薬剤。
【請求項１６】
ヌクレオチド配列が、
- Gag(p17、p24)Nef切断
- Gag(p17、p24)(最適化されているコドン) Nef(切断)
- Gag(p17、p24)RT Nef(切断)
- Gag(p17、p24)最適化されているコドンRT Nef(切断)
- Gag(p17、p24)最適化されているコドンRT最適化されているコドンNef切断
からなる群より選択される、請求項1〜15のいずれか一項記載の薬剤。
【請求項１７】
異種プロモーターがHCMV IE遺伝子の最小プロモーターであり、および/またはヌクレオチド配列が2本鎖DNAプラスミドの形態である、請求項1〜16のいずれか一項記載の薬剤。
【請求項１８】
プロモーターの5’側がエクソン1を含む、請求項17記載の薬剤。
【請求項１９】
核酸配列が、Gag(またはエピトープを含むその断片)と、RT(またはエピトープを含むその断片)と、Nef(またはエピトープを含むその断片)とを任意の順序でコードし；および/またはヌクレオチド配列によってコードされるタンパク質の少なくとも1つが融合タンパク質である、請求項1〜18のいずれか一項記載の薬剤。
【請求項２０】
核酸が、配列Nef-RT-GAG、RT-Nef-Gag、またはRT-Gag-Nefのタンパク質またはその断片をコードする、請求項19記載の薬剤。
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
女性患者の下部尿路内の少なくとも１つの処置部位で再成形するための装置であって、該下部尿路は、尿道管腔を有する尿道および膀胱出口を有する膀胱を備え、該装置は、以下：
細長シャフトであって、近位端および遠位端、ならびに該遠位端に隣接して配置される遠位領域を有する、細長シャフト；
該近位端に結合されたハンドル；
該尿道または膀胱出口の粘膜下層を処置して、該粘膜下層のコンプライアンスの低下を引き起こすための手段；ならびに
該処置するための手段の遠位の予め決定された距離において展開可能な、拡張可能部材であって、該拡張可能部材は、該膀胱内で展開され、そして該膀胱出口に対して係留されるように適合されている、拡張可能部材、
を備え、該処置するための手段は、該尿道管腔および膀胱出口を実質的に狭小化しない、装置。
【請求項２】
前記拡張可能な部材が、バルーンを備え、該バルーンが、前記細長シャフトの前記遠位領域に固定されている、請求項１に記載の装置。
【請求項３】
前記拡張可能部材が、自己拡張可能なバスケットを備える、請求項１に記載の装置。
【請求項４】
前記自己拡張可能なバスケットが、１本の棒に結合された複数の可撓性支柱を備え、該棒は、前記細長シャフトの中心管腔内に配置されている、請求項３に記載の装置。
【請求項５】
前記自己拡張可能なバスケットが、収縮状態および展開状態を備え、該収縮状態において、前記複数の可撓性支柱が、前記細長シャフトの前記中心管腔内に閉じ込められ、そして該展開状態において、該複数の可撓性支柱が、該細長シャフトから半径方向外向きに延びる、予め決定された曲率を呈する、請求項４に記載の装置。
【請求項６】
前記複数の可撓性支柱が、形状記憶材料を含む、請求項５に記載の装置。
【請求項７】
前記細長シャフトが、複数の測定指標をさらに備え、該測定指標は、前記膀胱内での前記拡張可能部材の位置決めにおいて使用するために適切である、請求項１に記載の装置。
【請求項８】
前記処置するための手段が、前記細長シャフトの側部表面に包埋された少なくとも１つの無針電極を備える、請求項１に記載の装置。
【請求項９】
少なくとも１つの洗浄ポートを備え、該洗浄ポートは、前記細長シャフトの側部表面に配置されており、そして前記無針電極の近隣に洗浄流体を提供するように構成されている、請求項８に記載の装置。
【請求項１０】
前記無針電極が中空である、請求項８に記載の装置。
【請求項１１】
前記無針電極の第一の端部に結合された洗浄チュービング、および該無針電極の第二の端部に結合された吸引チュービングをさらに備える、請求項１０に記載の装置。
【請求項１２】
前記処置するための手段が、超音波変換器を備える、請求項１に記載の装置。
【請求項１３】
前記処置するための手段が、低温プローブを備える、請求項１に記載の装置。
【請求項１４】
尿道組織を穿刺するように構成された少なくとも１つの中空針をさらに備え、前記低温プローブが、該中空針を通して長手軸方向に進められるように構成されている、請求項１３に記載の装置。
【請求項１５】
前記処置するための手段と前記拡張可能部材との間の距離が、長手軸方向に調節され得る、請求項１に記載の装置。
【請求項１６】
前記拡張可能部材が、シャフト上に配置されており、前記装置が、該シャフトと前記細長シャフトの中心管腔との間のねじ切りされた界面をさらに備える、請求項１５に記載の装置。
【請求項１７】
前記拡張可能部材が、シャフト上に配置されており、前記装置が、該シャフトに結合されたアクチュエータをさらに備える、請求項１５に記載の装置。
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
以下を備える、生体内で使用するためのステント装置：
拡張式ステント構造物；
構造物に結合し、かつ、患者の体内に該治療可能薬剤を放出するように構成されている、少なくとも1種の治療可能薬剤の少なくとも1つの供給源であって、少なくとも１つの該治療可能薬剤がピメクロリムス(商標)を含む供給源；および
該供給源の少なくとも一部を覆っている速度-制御要素層であって、該治療可能薬剤が再狭窄を抑制するため患者の体内に放出される速度-制御要素層。
【請求項２】
速度-制御要素層が非多孔性材料から形成される、請求項1記載の装置。
【請求項３】
速度-制御要素層が以下からなる群より選択される材料から形成される、請求項1記載の装置：
パリレン、パリラスト、ポリウレタン、ポリエチレンイミン、セルロースアセテートブチレート、エチレンビニルアルコールコポリマー、シリコーン、ポリテトラフルオロエチレン(PTFE)、ポリ(メチルメタクリレートブチレート)、ポリ-N-ブチルメタクリレート、ポリ(メチルメタクリレート)、ポリ2-ヒドロキシエチルメタクリレート、ポリエチレングリコールメタクリレート、ポリ塩化ビニル、ポリ(ジメチルシロキサン)、ポリ(テトラフルオロエチレン)、ポリ(エチレンオキサイド)、ポリエチレンビニルアセテート、ポリカルボネート、ポリアクリルアミドゲル、N-ビニル-2-ピロリドン、マレイン酸無水物、ナイロン、セルロースアセテートブチレート(CAB)、ならびにこれらの混合物、コポリマーおよび組み合わせ。
【請求項４】
速度-制御要素層の厚さが約10 nm〜約100 μmの範囲である、請求項1〜3いずれか一項記載の装置。
【請求項５】
拡張式構造物が少なくとも一部は開いた格子から形成される、請求項1〜4のいずれか一項記載の装置。
【請求項６】
拡張式構造物が、内腔に面する面および組織に面する面を有し、少なくとも1種の治療可能薬剤が、少なくとも一つの構造物の内腔に面する面または組織に面する面に結合している、請求項1〜5のいずれか一項記載の装置。
【請求項７】
該装置が少なくとも1種の治療可能薬剤の放出の前、同時または後に少なくとも１つの他の化合物を放出するように構成され、他の化合物が免疫抑制剤、抗炎症剤、抗増殖剤、抗遊走剤、抗線維化剤、アポトーシス促進剤、血管拡張剤、カルシウムチャネル遮断剤、抗悪性腫瘍剤、抗癌剤、抗体、抗血栓剤、抗血小板剤、IIb/IIIa剤、抗ウィルス剤、MTOR(哺乳類のラパマイシン標的タンパク質)阻害剤、非免疫抑制剤、チロシンキナーゼ阻害剤、EGFR/ErbB2阻害剤、VEGF受容体阻害剤、VEGFR/FGFR/PDGFR阻害剤、NGF受容体阻害剤、抗EGF受容体MAb、抗ErbB2 MAb 、CDK阻害剤、二リン酸塩、NF-κBデコイオリゴ、タンパク質、オリゴマー、アミノ酸、ペプチド、遺伝子、増殖因子、アンチセンスおよびこれらの組み合わせからなる群より選択される、請求項1〜6のいずれか一項記載の装置。
【請求項８】
組織1 mgあたりの治療可能薬剤が約0.001 ng〜約100μgの範囲の哺乳類組織の濃度を達成するために、1フェーズで哺乳類の生体内の罹患組織部位に少なくとも1種の治療可能薬剤を送達するように構成されている、請求項1〜7のいずれか一項記載の装置。
【請求項９】
治療可能薬剤の望ましくない代謝物が組織1 mgあたり2.5 ng未満の哺乳類組織濃度となることを達成するために、哺乳類の生体内の罹患組織部位に少なくとも1種の治療可能薬剤が送達されるように構成されている、請求項1〜8のいずれか一項記載の装置。
【請求項１０】
1日あたり約0.001μg〜約500μgの間の速度で少なくとも１つの治療可能薬剤を放出するように構成されている、請求項1〜9のいずれか一項記載の装置。
【請求項１１】
総計で約0.1μg〜約10gの間の量の治療可能薬剤を放出するように構成されている、請求項1〜10のいずれか一項記載の装置。
【請求項１２】
約1日から約200日までの期間内に治療可能薬剤が放出されるように構成されている、請求項1〜11のいずれか一項記載の装置。
【請求項１３】
少なくとも1種の治療可能薬剤が、作用化合物、作用化合物のプロドラッグ、作用化合物の代謝物、作用化合物の誘導体、作用化合物の類似物またはこれらの組み合わせを含む、請求項1〜12のいずれか一項記載の装置。
【請求項１４】
速度-制御要素層が多孔質材料から形成される、請求項１記載の装置。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
上顎骨（１）に配置されたインプラントの応力耐性を高めるための構成であって、インプラントが一部分（４、４’）を空洞（５）にアクセスさせなければならないことを必要とする長さ（Ｌ）を持つこと、インプラントの前記部分に凸状または丸みを帯びた前面（４、４ａ）を設け、アクセス後にそれが空洞部の粘膜を穿通することなく空洞部の粘膜（６）を持ち上げ、こうして前記部分（４、４’）と粘膜の下面との間に閉鎖空間（７）が形成されること、及びインプラントが少なくとも前記部分に成長刺激物質（１５）を施され、それは前記空間内に浸透したまたは浸透している細胞含有体液（８）と相互作用し、かくして新生骨（１１）がインプラントの前記部分の周りに形成され、それによって前記耐性が増大されることを特徴とする構成。
【請求項２】
空洞内に配置されたインプラントの凸状または丸みを帯びた前面（４）および少なくとも１つの隣接外面（４’）が、成長刺激物質（１５）の層を被覆されることを特徴とする、請求項１に記載の構成。
【請求項３】
前記丸みを帯びた前面および隣接外面（４ａ）の少なくとも側面には、前記成長刺激物質の貯蔵所として機能する粗い外層または多孔性外部酸化物層（１４）が配設されることを特徴とする、請求項２に記載の構成。
【請求項４】
インプラント（３）がチタンから形成され、その長さ（Ｌ）の大部分に沿って成長刺激物質を塗布されることを特徴とする、請求項１、２または３に記載の構成。
【請求項５】
成長刺激物質が細胞間質分子、成長因子、および分化因子、および／または成長刺激特性を持つペプチドであることを特徴とする、請求項１〜４のいずれかに記載の構成。
【請求項６】
インプラントが上顎骨に高さ（Ｌ’）を低減して配設されることを特徴とする、請求項１〜５のいずれかに記載の構成。
【請求項７】
初期段階において、インプラントがその外部に、顎骨の外面（１ｂ）に接続することのできる機械的固定部材（１２）を施されることを特徴とする、請求項１〜６のいずれかに記載の構成。
【請求項８】
インプラントにインプラントの空洞内への挿入度（Ｌ−Ｌ’）に依存する固定が施与されることができ、挿入度が大きければ大きいほど、体液のための密閉空間（７）および物質と体液内の細胞の間の相互作用が大きくなり、それは新生骨のより大きい面積の形成を意味し、その逆もまた同じであることを特徴とする、請求項１〜７のいずれかに記載の構成。
【請求項９】
顎骨穴（２）内に導入し、顎骨の外側（１ｂ）から延び、空洞の粘膜（６）の下面で空洞内に穴を開けることができる部材（２０）を含むこと、前記下面の下の挿入位置で、前記部材は好ましくは手動型の回転動作（２２）に応じて回転運動を生じるようにも設計されること、及び前記部材の１つまたはそれ以上の前部が、空洞または顎骨の境界壁と粘膜の下面（６ａ）との間を通るように設計されること、および前記回転運動により、粘膜を境界壁から遊離または解放させることを特徴とする、請求項１〜８のいずれかに記載の構成。
【請求項１０】
インプラントが、粘膜の下面（６ａ）を介して空洞内で空洞粘膜（６）と協働して、インプラントと粘膜の下面との間に密閉された空間（７）を形成するように設計された、凸状または丸みを帯びた前面（４）を配設されること、ならびに少なくとも前面および空洞に嵌挿するかまたは嵌挿された部分が、前面（４）および前記部分（４’）の周りに新生骨を形成するために、細胞含有体液（８）と相互作用するように構成された成長刺激物質を塗布されることを特徴とする、好ましくはチタンまたはセラミックで作られたインプラント。
【請求項１１】
前面の側面および前記部分は、前記物質を貯蔵するように構成された粗い外面（１４）または多孔質外部酸化物層を持つように設計されることを特徴とする、請求項１０に記載のインプラント。
【手続補正２】
【補正対象書類名】明細書
【補正対象項目名】０００４
【補正方法】変更
【補正の内容】
【０００４】
本発明に係る構成を特徴付けるものと基本的にみなすことができる特長は、とりわけ、インプラントの一部分を空洞にアクセスさせなければならず、またインプラントの前記部分に凸状または丸みを帯びた前面を設け、アクセス後にそれが空洞部の粘膜を穿通することなく空洞部の粘膜を持ち上げ、こうして前記部分と粘膜の下面との間に閉鎖空間が形成されることを必要とする長さをインプラントが持つことである。インプラントは少なくとも前記部分に成長刺激物質を施され、それは空間内に浸透した細胞含有体液と相互作用するので、新生骨がインプラントの前記部分の周りに形成され、それによって前記耐性が達成される。
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
ａ．少なくとも部分的に硬化したプライマーコーティングを有する第１の表面と、反対側の第２の表面とを有する、実質的に水平に配置した可撓性バッキングを提供するステップと、
ｂ．研磨粒子と粒状硬化性バインダー材料とを含む乾燥流動性粒子混合物を提供するステップと、
ｃ．前記バッキングの前記第１の表面の前記少なくとも部分的に硬化したプライマーコーティング上に、前記粒子混合物で構成される複数の一時的分離した成形構造体を付着させるステップと、
ｄ．前記粒状硬化性バインダー材料を軟化させて、隣接する研磨粒子の間に接着を形成するステップと、
ｅ．前記軟化させた粒状硬化性バインダー材料を硬化させて、前記一時的成形構造体を永久的成形構造体に変換させ、さらに、前記バッキングの前記第１の表面上の前記少なくとも部分的に硬化したプライマーコーティングを硬化させるステップと、
を含む研磨製品の製造方法。
【請求項２】
ａ．プライマーコーティングを有する第１の表面と、反対側の第２の表面と、互いに反対側にある末端とを有する可撓性バッキングと、
ｂ．各構造体が、前記バッキングから間隔を開けた遠位末端と、前記バッキング上の前記プライマーコーティングに取り付けられた取り付け末端とを有する、複数の分離した成形構造体であって、研磨粒子と硬化した粒状バインダーとで構成される成形構造体と、
を含む可撓性研磨製品。
【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
ドリルストリングに加えるための正弦圧力波を発生させる装置であって、
ボア、入口ギャラリ及び排出ギャラリを備えた室を含むシリンダと、
室のボア内で往復動するように構成されたワークピストンと、を有し、このワークピストンは、室内での往復動中に室のボアの壁に対してシールする半径方向壁と、第１の端部のところに位置する第１のランドと、第２の端部のところに位置する第２のランドとを有し、
更に、ワークピストンをボア内で移動させるために、加圧下の流体を入口ギャラリからワークピストンの第１のランドの上側のシリンダのボア内に通じさせると共にワークピストンの第２のランドの下側のボアから排出ギャラリに排出することと、ワークピストンをボア内で往復動させるために、加圧下の流体を入口ギャラリからワークピストンの第２のランドの下側のシリンダのボア内に通じさせると共にワークピストンの第１のランドの上側のボアから排出ギャラリに排出することとを交互に行う手段と、
ワークピストンに連結されたピストンシャフトと、を有し、ピストンシャフトは、ワークピストンの往復動によって生じた力をドリルストリングに伝えるように構成され、
室のボア内のワークピストンの往復動は、ドリルストリングの共振周波数で自動的に共振する、装置。
【請求項２】
ワークピストンの各入口ギャラリは、加圧流体が入口ギャラリに流入することを可能にする入口ポートを有し、入口ギャラリは、ボアの壁の表面で終端しているポートを介してシリンダのボアと連通している請求項１に記載の装置。
【請求項３】
室はリリーフボアを有し、このリリーフボアは、ワークピストンの第１の半径方向面の上側のシリンダのボアに開口した第１の端部と、ワークピストンの第２の半径方向面の下側のシリンダのボアに開口した第２の端部とを有し、リリーフボアは、往復動可能なリリーフピストンを収容し、リリーフピストンの運動は、シリンダ室からリリーフボアに出入りする流体の運動によって定められる請求項１に記載の装置。
【請求項４】
更に、室内に設けられたリリーフボアと、
リリーフボア内に設けられたリリーフピストンと、を有し、リリーフピストンは、ボア内で往復動を行い且つ往復動中にリリーフボアの壁に対してシールするように構成され、
更に、ワークピストンの第１の端部のところのシリンダのボアの一部と連通し且つリリーフピストンの第１の端部のところのリリーフボアと連通する第１のリリーフバイパス路と、
ワークピストンの第２の端部のところのシリンダのボアの一部と連通し且つリリーフピストンの第２の端部のところのリリーフボアと連通する第２のリリーフバイパス路と、を有し、
ワークピストンがシリンダのボア内で一方向に動くと、シリンダの第１の端部のところのボア内に存在する流体が、第１のリリーフバイパス路を通ってリリーフボアの第１の端部に押し込まれ、リリーフボア内のリリーフピストンを移動させ、リリーフボアの第２の端部の流体を加圧し、流体を第２のリリーフバイパス路から第２の端部のところのシリンダのボアに流入させるように構成されている、請求項３に記載の装置。
【請求項５】
各入口ギャラリは、室の壁周りに３６０°にわたって延びている請求項１に記載の装置。
【請求項６】
ワークピストンの本体は、本体を貫いて長手方向に延びる第１の移送ギャラリを有し、第１の移送ギャラリは、ワークピストンの往復動中の所定時間、ワークピストンの半径方向壁を介して入口ギャラリと連通し、ワークピストンの第１の半径方向面を介してシリンダのボアと連通する、請求項１に記載の装置。
【請求項７】
ワークピストンの本体は、本体を貫いて長手方向に延びる第２の移送ギャラリを有し、第２の移送ギャラリは、ワークピストンの往復動中の所定時間、ワークピストンの半径方向壁を介して入口ギャラリと連通し、ワークピストンの第２の半径方向面を介してシリンダのボアと連通する、請求項１に記載の装置。
【請求項８】
室は、第１の排出ギャラリ及び第２の排出ギャラリを有し、
第１の排出ギャラリは、ワークピストンの第１の半径方向面の上側でシリンダ室と連通し、
第２の排出ギャラリは、ワークピストンの第２の半径方向面の下側でシリンダのボアと連通し、
第１の排出ギャラリ及び第２の排出ギャラリは、出口ポートを有し、各出口ポートはそれぞれ、第１及び第２の排出ギャラリ内の流体をシリンダのボアから遠ざけるように通じている、請求項１に記載の装置。
【請求項９】
ワークピストンの半径方向壁に設けられた第１の移送ギャラリの開口部の位置は、ワークピストンの半径方向壁に設けられた第２の移送ギャラリの開口部の位置に対して長手方向にずれている、請求項１に記載の装置。
【請求項１０】
シリンダは、リグによって支持され、ワークピストンは、ドリルストリングに連結可能なピストンシャフトを有している、請求項１に記載の装置。
【請求項１１】
シリンダ室は、バラスト重りを有するドリルヘッドの一部をなしている、請求項１に記載の装置。
【手続補正書】
【提出日】平成18年2月15日(2006.2.15)
【手続補正１】
【補正対象書類名】明細書
【補正対象項目名】発明の名称
【補正方法】変更
【補正の内容】
【発明の名称】インクジェット式ノズルおよびインクジェット式ノズルで使用するための孔をレーザ孔開けする方法